(57)【要約】【課題】顧客が満足する見栄えの花輪を飾ることが出来る花輪用台座を提供する。【解決手段】中央リング１と、その中央リング１の周りを囲むように１０個のリング１１，１１，…が環状に配列された第一リング列１０と、その第一リング列１０の周りを囲むように１３個のリング２１，２１，…が環状に配列された第二リング列２０と、その第二リング列２０の周りを囲むように２２個のリング３１，３１，…が環状に配列された第三リング列３０と、その第三リング列３０の周りを囲む外周リング２とを具備する。【効果】全体として４０個〜６０個の花輪を飾れる。花輪が三重になるため、二重では不足していた壮麗な感じが充分に得られる。中央リング１が第一リング列１０より飛び出しているため、中央リング１が第一リング列１０と同じ平面にある場合よりも強い立体感を得られる。外周リング２に造花を巻き付けることにより縁取りを強調できる。【選択図】図７
0003122745.tif 000002
【実用新案登録請求の範囲】
【請求項１】
中央リングと、その中央リングの周りを囲むように複数のリングが環状に配列された第一リング列と、その第一リング列の周りを囲むように複数のリングが環状に配列された第二リング列と、その第二リング列の周りを囲むように複数のリングが環状に配列された第三リング列とを具備したことを特徴とする花輪用台座。
【請求項２】
請求項１に記載の花輪用台座において、前記中央リングより奥に第一リング列が位置し、前記第一リング列より奥に第二リング列が位置することを特徴とする花輪用台座。
【請求項３】
請求項１または請求項２に記載の花輪用台座において、前記第三リング列の周りを囲む外周リングを具備したことを特徴とする花輪用台座。
【考案の詳細な説明】
【技術分野】
【０００１】
本考案は、花輪用台座に関し、さらに詳しくは、顧客が満足する見栄えの花輪を飾ることが出来る花輪用台座に関する。
【背景技術】
【０００２】
従来、中央リングと、その中央リングの周りを囲むように複数のリングが環状に配列された第一リング列と、その第一リング列より奥に位置し第一リング列の周りを囲むように複数のリングが環状に配列された第二リング列とを具備した花輪用台座が知られている（例えば、特許文献１参照。）。
【特許文献１】実用新案登録第３０６９９０４号公報
【考案の開示】
【考案が解決しようとする課題】
【０００３】
上記従来の花輪用台座では、タオルで作った花輪を３０個程度まで飾れるようにすることは可能であったが、それ以上の花輪を飾るようにすることは無理であった。これは、タオルで作る１個の花輪の大きさが大体決まってしまうため、１個のリングの大きさやリング列の直径も大体決まってしまうからである。
しかし、せいぜい３０個程度の花輪では、その見栄えに顧客が満足しないことがある問題点があった。
そこで、本考案の目的は、顧客が満足する見栄えの花輪を飾ることが出来る花輪用台座を提供することにある。
【課題を解決するための手段】
【０００４】
第１の観点では、本発明は、中央リングと、その中央リングの周りを囲むように複数のリングが環状に配列された第一リング列と、その第一リング列の周りを囲むように複数のリングが環状に配列された第二リング列と、その第二リング列の周りを囲むように複数のリングが環状に配列された第三リング列とを具備したことを特徴とする花輪用台座を提供する。
上記第１の観点による花輪用台座では、タオルで作った花輪を第三リング列に２０個〜３０個くらい飾れるようになる。このため、全体として４０個〜６０個の花輪を飾れるようになる。また、花輪が三重になるため、二重では不足していた壮麗な感じが充分に得られるようになる。よって、顧客が満足する見栄えを得ることが出来る。
【０００５】
第２の観点では、本発明は、請求項１に記載の花輪用台座において、前記中央リングより奥に第一リング列が位置し、前記第一リング列より奥に第二リング列が位置することを特徴とする花輪用台座を提供する。
上記第２の観点による花輪用台座では、中央リングが第一リング列より飛び出しているため、中央リングが第一リング列と同じ平面にある場合よりも強い立体感を得ることが出来る。よって、顧客が満足する見栄えを得ることが出来る。
【０００６】
第３の観点では、本発明は、前記第１または第２の観点による花輪用台座において、前記第三リング列の周りを囲む外周リングを具備したことを特徴とする花輪用台座を提供する。
上記第３の観点による花輪用台座では、外周リングに造花を巻き付けることにより縁取りを強調することが出来る。よって、顧客が満足する見栄えを得ることが出来る。
【考案の効果】
【０００７】
本考案の花輪用台座によれば、顧客が満足する見栄えを得ることが出来る。
【考案を実施するための最良の形態】
【０００８】
以下、図に示す実施例により本考案をさらに詳細に説明する。なお、これにより本考案が限定されるものではない。
【実施例１】
【０００９】
図１は、実施例１に係る花輪用台座１００を示す正面図である。図２は、同背面図である。図３は、同平面図である。図４は、同底面図である。図５は、同右側面図である。左側面図は、右側面図と対称になる。図６は、図１のＡ−Ａ断面図である。図７は、同斜視図である。
【００１０】
図１および図２に示すように、この花輪用台座１００は、中央リング１と、その中央リング１の周りを囲むように１０個のリング１１，１１，…が環状に配列された第一リング列１０と、その第一リング列１０の周りを囲むように１３個のリング２１，２１，…が環状に配列された第二リング列２０と、その第二リング列２０の周りを囲むように２２個のリング３１，３１，…が環状に配列された第三リング列３０と、その第三リング列３０の周りを囲む外周リング２とを具備している。
３は、支柱（図示せず）で花輪用台座１００を支持するための懸架部である。
【００１１】
図３〜図６に示すように、中央リング１が最も前面に飛び出しており、中央リング１より数ｃｍ奥に第一リング列１０が位置し、その第一リング列１０より数ｃｍ奥に第二リング列２０，第三リング列３０および外周リング２が位置している。
【００１２】
図７に示すように、外周リング２の複数箇所に係止リング２ａが設けられている。複数の造花を繋いだ針金を外周リング２に巻き付けるとき、係止リング２ａに針金を通したり巻き付けたりすることで、造花の回り止めとすることが出来る。
【００１３】
実施例１に係る花輪用台座１００によれば、全体として４０個〜６０個の花輪を飾れるようになる。また、花輪が三重になるため、二重では不足していた壮麗な感じが充分に得られるようになる。また、中央リング１が第一リング列１０より飛び出しているため、中央リング１が第一リング列１０と同じ平面にある場合よりも強い立体感を得ることが出来る。さらに、外周リング２に造花を巻き付けることにより縁取りを強調することが出来る。よって、顧客が満足する見栄えを得ることが出来る。
【産業上の利用可能性】
【００１４】
本考案の花輪用台座は、冠婚葬祭や開店記念などの式典で飾る花輪に利用できる。
【図面の簡単な説明】
【００１５】
【図１】実施例１に係る花輪用台座を示す正面図である。
【図２】実施例１に係る花輪用台座を示す背面図である。
【図３】実施例１に係る花輪用台座を示す平面図である。
【図４】実施例１に係る花輪用台座を示す底面図である。
【図５】実施例１に係る花輪用台座を示す右側面図である。
【図６】図１のＡ−Ａ断面図である。
【図７】実施例１に係る花輪用台座を示す斜視図である。
【符号の説明】
【００１６】
１                        中央リング
２                        外周リング
２ａ                      係止リング
３                        懸架部
１０                      第一リング列
１１                      第一リング列のリング
２０                      第二リング列
２１                      第二リング列のリング
３０                      第三リング列
３１                      第三リング列のリング
１００                    花輪用台座
【図１】
0003122745.tif 000003
【図２】
0003122745.tif 000004
【図３】
0003122745.tif 000005
【図４】
0003122745.tif 000006
【図５】
0003122745.tif 000007
【図６】
0003122745.tif 000008
【図７】
0003122745.tif 000009